【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
コンピュータによって実施される、構成要素を有するマークアップ文書の外観および動作を変更する方法であって、
ウエブパーツを含むウェブパーツページ内のツールペインをインスタンス化するステップと、
前記ウエブパーツページを変更する前記ツールペイン内で異なる機能を提供するツールパーツを提供するステップと、
前記ウェブパーツページの一部として、前記ツールペインを表示するステップと、
前記ツールペイン内に含まれた前記ツールパーツの１つと関連付けられた前記機能の１つを実行する入力を受け取るステップであって、前記機能を実行することは前記ウェブパーツページを変更することと、
前記ウエブパーツページの前記変更に応答して、前記ツールペインの表示を動的に変更するステップと
を備えることを特徴とする方法。
【請求項２】
前記機能に行われる調整に従って、前記ウェブパーツページを動的に変更するステップ
をさらに備えることを特徴とする請求項１に記載の方法。
【請求項３】
ツールペインをインスタンス化する前記ステップは、前記ツールペインのインスタンス化を指示するフィールド値を受け取るステップをさらに含むことを特徴とする請求項１に記載の方法。
【請求項４】
前記フィールド値は、前記ウェブパーツページ内において選択されたウェブパーツに対する固有の識別子をさらに含み、前記インスタンス化されたツールペインは、前記選択されたウエブパーツに関連付けられることを特徴とする請求項３に記載の方法。
【請求項５】
前記フィールド値は、前記ツールペインのモードを含み、前記ツールペインは、前記モードに対応する機能とともにインスタンス化されることを特徴とする請求項３に記載の方法。
【請求項６】
テーブルの第１のセルの中に前記ツールペインを包みおよび前記テーブルの第２のセルの中に前記ウェブパーツを包むステップをさらに備えることを特徴とする請求項１に記載の方法。
【請求項７】
前記機能は、前記ツールペインに含まれるツールパーツに対応することを特徴とする請求項１に記載の方法。
【請求項８】
前記機能の少なくとも１つは、カスタマイズされたツールパーツに対応することを特徴とする請求項７に記載の方法。
【請求項９】
前記ウェブパーツの少なくとも１つは、関連付けられたプロパティに対して評価され、前記プロパティは、前記インスタンス化されたツールペインの中に表示されることを特徴とする請求項１に記載の方法。
【請求項１０】
ウェブパーツを含むウェブパーツページの外観および動作を変更するシステムであって、
コンピューティングデバイスと、
前記コンピューティングデバイス上に含まれるアプリケーションであって、
前記ウェブパーツページの一部として、ツールペインをインスタンス化することであって、前記ツールペインは前記ウェブパーツページを変更する機能を含み、
前記ツールペイン内に含まれた前記機能の１つを実行するよう示している入力を受け取り、
前記機能を実行することに従って、前記ウェブパーツページを動的に変更し、
前記ウェブパーツページの前記変更に応答して、前記ツールペインを変更するように構成されたことと
を備えたことを特徴とするシステム。
【請求項１１】
前記機能は、標準的機能とカスタマイズされた機能を含み、
マークアップ文書、構成要素、前記ツールペインをディスプレイに通信するように構成されたことを特徴とする請求項１０に記載のシステム。
【請求項１２】
前記アプリケーションはさらに、前記ツールペインのインスタンス化を指示するフィールド値を受け取るように構成されたことを特徴とする請求項１０に記載のシステム。
【請求項１３】
前記フィールド値は、前記ウェブパーツページ内のウェブパーツに対する固有の識別子をさらに含み、前記インスタンス化されたツールペインは前記ウェブパーツとに関連付けられることを特徴とする請求項１２に記載のシステム。
【請求項１４】
前記ツールペインは、テーブルの第１のセルの中に包まれ、前記ウェブパーツは前記テーブルの第２のセルの中に包まれることを特徴とする請求項１０に記載のシステム。
【請求項１５】
前記機能は、前記ツールペインに含まれるツールパーツに対応することを特徴とする請求項１０に記載のシステム。
【請求項１６】
前記アプリケーションは、関連付けられたプロパティを評価するようにさらに構成され、前記プロパティは前記インスタンス化されたツールペインに表示されることを特徴とする請求項１０に記載のシステム。
【請求項１７】
構成要素を有するマークアップ文書の外観および動作を変更する命令を含むコンピュータ読取り可能媒体であって、前記命令は、
前記マークアップ文書中にツールペインをインスタンス化するステップと、
前記マークアップ文書および構成要素を変更する機能を提供するステップであって、前記機能は、選択されたカスタマイズに従って前記ツールペイン中に選択的に提供されることと、
前記マークアップ文書、前記構成要素、および前記ツールペインをディスプレイに通信するステップと、
前記ツールペイン内の機能の調整を表示するデータを受け取るステップであって、前記機能が実行されるとき、前記機能の調整が前記マークアップ文書を変更することと、
前記機能に行われる前記調整に従って、前記マークアップ文書および構成要素を動的に変更するステップと、
前記マークアップ文書および構成要素の前記変更に応答して、前記ツールペインの外観を変更するステップと
を備えることを特徴とするコンピュータ読取り可能媒体。
【請求項１８】
ツールペイン中に含まれる機能の調整を表示する入力を受け取るステップであって、前記ツールペインは、前記マークアップ言語文書中に含まれることと、
前記機能に行われる調整に従って前記マークアップ文書および構成要素を動的に変更するステップと
をさらに備えることを特徴とする請求項１７に記載のコンピュータ読取り可能媒体。
【請求項１９】
ツールペインをインスタンス化する前記ステップは、前記ツールペインのインスタンス化を指示するフィールド値を受け取るステップをさらに備えることを特徴とする請求項１７に記載のコンピュータ読取り可能媒体。
【請求項２０】
前記フィールド値は、前記マークアップ文書中で選択された構成要素の固有の識別子をさらに含み、前記インスタンス化されるツールペインは、前記選択された構成要素に関連付けられることを特徴とする請求項１９に記載のコンピュータ読取り可能媒体。
【請求項２１】
前記フィールド値は前記ツールペインのモードを含み、前記ツールペインは前記モードに対応する機能とともにインスタンス化されることを特徴とする請求項１９に記載のコンピュータ読取り可能媒体。
【請求項２２】
前記マークアップ文書はウェブパーツページであり、前記構成要素はウェブパーツおよびウェブパーツゾーンの１つであることを特徴とする請求項１７に記載のコンピュータ読取り可能媒体。
【請求項２３】
前記機能は、前記ツールペインに含まれるツールパーツに対応することを特徴とする請求項１７に記載のコンピュータ読取り可能媒体。
【請求項２４】
前記構成要素の少なくとも１つに関連付けられたプロパティが評価され、前記プロパティは、前記インスタンス化されたツールペインに表示されることを特徴とする請求項１７に記載のコンピュータ読取り可能媒体。